(57)【特許請求の範囲】
【請求項１】
筒状の先軸の後方に該先軸に対して相対回転自在に設けられた筒状の後軸と、先軸と後軸内に挿入されて棒状部材を支持するための保持部材を有してなり、後軸に対して先軸を回転させることによって棒状部材を先軸に対して軸方向に移動させる回転繰出容器であって、
後軸先端側には、軸方向にスリットの有る筒部を形成し、当該筒部の最外径部にエッジのある突起を周方向で不等間隔に形成し、
前記筒部に対応する位置の先軸内部には、エッジ部を形成しており、
後軸に対する先軸の回転が所定方向の場合に、前記突起のエッジと前記エッジ部とが噛み合い、その回転が規制される構成であることを特徴とする回転繰出容器。
【請求項２】
前記筒部は先方に開放するスリットの形成によって複数の部分に分割されて、その分割部分が周方向に配列された構造を呈し、
前記複数の分割部分のうちの所定の分割部分には、最外径部にエッジのある突起を形成しておらず、所定以外の他の分割部分には、最外径部にエッジのある突起を形成することによって、前記筒部の最外径部にエッジのある突起を周方向に不等間隔に形成したことを特徴とする請求項１に記載の回転繰出容器。
【請求項３】
前記筒部における他の分割部分の突起形成箇所では、当該分割部分のスリット側の面が突起の面に直線的に連続し、その突起の最外径部にエッジが形成されていることを特徴とする請求項２に記載の回転繰出容器。
【請求項４】
スリット及び分割部分は少なくとも三箇所形成したことを特徴とする請求項１から３のうちの１項に記載の回転繰出容器。
【請求項５】
後軸内にネジ棒が収容されて、後軸に対して先軸を前記所定方向以外の方向に回転させることによりネジ棒が先方に進み、先方に進むネジ棒が棒状部材を押し出して、当該棒状部材を先軸先端から繰り出し可能であることを特徴とする請求項１から４のうちの１項に記載の回転繰出容器。
【発明の詳細な説明】
【技術分野】
【０００１】
本発明は、棒状化粧料、棒状筆記体、棒状塗布体等の棒状部材を容器から繰り出して使用する棒状化粧料容器、筆記具、塗布具等に利用する回転繰出容器に関する。
【背景技術】
【０００２】
従来、特許文献１や特許文献２に代表される回転繰出機構を有する容器が開示されている。
【０００３】
特許文献１の塗布具付の化粧液体収納容器では、胴部内の化粧料を押し下げる螺旋筒部を底キャップによって回転させるもので、底キャップが正方向のみに回転するラチェット機構の逆回転防止機構が設けられている。
【０００４】
特許文献２の吐出容器では、筒状の容器本体内に固定仕切り板を固定し、容器本体の軸中心に位置する回転体に回転仕切り板を設けて、回転仕切り板を回転させる際に、回転体が容器本体に対して一方向に回転するラチェット機構を有しているものである。
【０００５】
したがって、これらの回転繰出容器は、繰出方向とは反対側（逆側）の回転を行う場合、ラチェット機構のロックがかかり、回転動作を防止する作用を持つ。
【先行技術文献】
【特許文献】
【０００６】
【特許文献１】実公平６−１０号公報
【特許文献２】特開２０１２−１１６５０８号公報
【発明の概要】
【発明が解決しようとする課題】
【０００７】
しかしながら、前述の特許文献１−２の技術では、逆回転時にラチェット機構にてロックを掛けるが、強引に回転させるとロックが外れる恐れがあり更にロックを強くかける機構が望まれる。また、このような構成では、ロックの確実性を上げようとすると正回転時に回転抵抗が重くなりやすく、軽い操作感が確保されなかった。
【０００８】
本発明は、上記実情に鑑み、回転操作において後軸に対する先軸が逆回転方向等の所定方向に回転するのを確実に規制できると共に、所定方向以外の正回転においては、回転が規制されず軽い回転で棒状部材を繰り出すことができる回転繰出容器を提供しようとするものである。
【課題を解決するための手段】
【０００９】
本発明は、筒状の先軸の後方に該先軸に対して相対回転自在に設けられた筒状の後軸と、先軸と後軸内に挿入されて棒状部材を支持するための保持部材を有してなり、後軸に対して先軸を回転させることによって棒状部材を先軸に対して軸方向に移動させる回転繰出容器であって、
後軸先端側には、軸方向にスリットの有る筒部を形成し、当該筒部の最外径部にエッジのある突起を周方向で不等間隔に形成し、
前記筒部に対応する位置の先軸内部には、エッジ部を形成しており、
後軸に対する先軸の回転が所定方向の場合に、前記突起のエッジと前記エッジ部とが噛み合い、その回転が規制される構成であることを特徴とする回転繰出容器である。
【００１０】
本発明において、前記筒部は先方に開放するスリットの形成によって複数の部分に分割されて、その分割部分が周方向に配列された構造を呈し、
前記複数の分割部分のうちの所定の分割部分には、最外径部にエッジのある突起を形成しておらず、所定以外の他の分割部分には、最外径部にエッジのある突起を形成することによって、前記筒部の最外径部にエッジのある突起を周方向に不等間隔に形成したことが好適である。
【００１１】
また、本発明において、前記筒部における他の分割部分の突起形成箇所では、当該分割部分のスリット側の面が突起の面に直線的に連続し、その突起の最外径部にエッジが形成されていることが好適である。
【００１２】
本発明において、スリット及び分割部分は少なくとも三箇所形成したことが好適である。
【００１３】
また、本発明において、後軸内にネジ棒が収容されて、後軸に対して先軸を前記所定方向以外の方向に回転させることによりネジ棒が先方に進み、先方に進むネジ棒が棒状部材を押し出して、当該棒状部材を先軸先端から繰り出し可能であることが好適である。
【００１４】
なお、棒状部材は、先軸に対して回転が規制された断面が長円形や楕円等の断面異形のものが好適である。
【発明の効果】
【００１５】
本発明によれば、先軸内部には、後軸先端側の筒部には縦方向にスリットを形成し、筒部の最外径部にはエッジのある突起を周方向で不等間隔に形成し、先軸内部には、エッジ部を形成しており、後軸に対する先軸の回転が所定方向の場合に、前記突起と前記エッジ部とが噛み合い、回転が規制される。その際に、エッジのある突起を周方向で不等間隔に形成しているので、突起とエッジ部との噛み合い位置が前記筒部の周方向で偏りが生じるものになる。この噛み合い箇所の偏りが後軸の中心軸を先軸の中心軸から径方向にずらす力となるので、筒部が強引に径方向に偏り、後軸表面の突起が先軸のエッジ部に強固に引っかかるため、確実に所定回転方向（例えば逆回転方向）に回転するのを防ぐことができる。
【００１６】
また、所定方向の逆方向への回転（例えば正回転）においては、回転規制を無くすことにより、従来通りの軽い回転で繰り出すことができる。
【図面の簡単な説明】
【００１７】
【図１】本発明に実施形態に係る回転繰出容器の全体図であり、（ａ）が縦断面図、（ｂ）が（ａ）を９０度回転させた縦断面図である。
【図２】図１の回転繰出容器の後軸の部品図であり、（ａ）が先方からの視図、（ｂ）が縦断面図、（ｃ）が（ｄ）のＤ−Ｄ線に沿う横断面図、（ｄ）が（ｂ）のＡ部の拡大図である。
【図３】図１の回転繰出容器の先軸の部品図であり、（ａ）が（ｂ）のＨ部拡大図、（ｂ）が先軸の縦断面図、（ｃ）が（ａ）のＧ−Ｇ線に沿う横断面図である。
【図４】図１の回転繰出容器のネジ棒の部品図であり、（ａ）が（ｃ）のＤ部矢視拡大図、（ｂ）がネジ棒の正面図、（ｃ）が（ｂ）を９０°回転させた正面図、（ｄ）が（ｃ）のＡ−Ａ断面拡大図、（ｅ）が（ｃ）のＢ−Ｂ断面拡大図、（ｆ）が（ｂ）の突起部拡大図、（ｇ）が（ｃ）の突起部の拡大図、（ｈ）が（ｃ）のＣ−Ｃ断面拡大図である。
【図５】図１の回転繰出容器のピストンの部品図であり、（ａ）が先方からの拡大視図、（ｂ）が（ａ）を９０°回転させた拡大視図、（ｃ）が正面視拡大図、（ｄ）が（ｂ）のＤ−Ｄ線に沿う縦断面図である。
【発明を実施するための形態】
【００１８】
以下、本発明の実施形態について添付図面を参照して説明する。
【００１９】
図１は実施形態に係る繰り出し容器の全体図である。図２が後軸、図３が先軸、図４がネジ棒、図５がピストンの各部品説明図である。
【００２０】
図１に示すように実施形態の係る繰出容器は、固形棒状化粧料等の芯１（棒状部材に相当）、当該芯１を押し出すためネジ棒２、後軸４、尾栓５、先軸６、芯１を固定するピストン（保持部材に相当）７、及び、芯１を覆うキャップ８を有する。なお、先軸６後部内周と後軸４先端の筒部９外周とのには、シール部材３としてＯ（オー）リングが設けられている。また、後軸４の尾端に尾栓５が嵌合して塞がれている。
【００２１】
詳しくは、前記繰出容器は、筒状の先軸６の後方に該先軸６に対して相対回転自在に設けられた筒状の後軸４と、先軸６と後軸４内に挿入されて芯１を支持するための保持部材７を有してなり、後軸４に対して先軸６を回転させることによって芯１を先軸６先端に対して先方に繰り出し移動させる回転繰出容器である。芯１は、横断面が扁平、長円形、楕円等の異形断面の固形棒状化粧料（アイライン、アイブロー用等）や、口紅、リップクリーム等の棒状化粧料であり、回転繰出容器から繰り出す化粧料鉛筆の構成をとれるものである。
【００２２】
後軸４先端側の筒部９には、等間隔の縦方向にスリット１０を形成し、筒部９の最外径部にはエッジのある突起１１を周方向に不等間隔で形成している（図２参照）。
【００２３】
また、前記筒部９に対応する位置の先軸６内部には、エッジ部１２を形成している（図３参照）。
【００２４】
後軸４に対する先軸６の回転が逆回転方向（所定方向）の場合に、前記突起１１と前記エッジ部１２とが噛み合い、その回転が規制され、また、後軸４に対して先軸６を正回転方向に軽く回転可能な構成である回転繰出容器である。
【００２５】
以下各部を詳細に説明する。
〔後軸４〕
後軸４は、図２に示すように、中空の概略筒状体であり、内部に螺旋溝４ａが形成され、先端に段状に小径にした筒部９が形成されている。
【００２６】
前記筒部９の先端では、図２（ａ）、（ｂ）に示すように、先方から軸方向に沿ってスリット１０が三箇所切り込まれている。
【００２７】
このように、前記筒部９は先方が開放するスリット１０の形成によって複数の部分（分割部分９ａ…）に分割される。各分割部分９ａ…が周方向に配列された構造を呈し、図２（ｃ）に示すように、それぞれが弧を描いた概略へら状または樋状を呈している。
【００２８】
前記複数の分割部分９ａのうちの所定の分割部分９ａ１には、最外径部にエッジの無い凸部１３を形成している。所定以外の他の分割部分９ａには、最外径部にエッジのある突起１１を形成することによって、前記筒部９の最外径部にエッジのある突起１１を不等間隔に形成したものである。符号１１ａでエッジを示す。
【００２９】
筒部９の分割部分９ａ１では、エッジのある突起を形成していないが、最外径部に形成した凸部１３には、スリット１０に面する部分から面取り１３ａを形成してエッジを無くしている。
【００３０】
筒部９は、図２（ｃ）、（ｄ）に示すように、先端部が概略フランジ状に拡径しており、その拡径した部分の最外径部となり、その最外径部の外周面に突起１１と凸部１３とが形成されている。突起１１が２箇所とその凸部１３が１箇所形成されており、したがって、エッジのある突起１１が周方向で不等間隔である。
【００３１】
言い替えれば、先方が開放するスリット１０の形成によって片持ち梁状を呈する分割部分９ａ…が複数、周方向に配列された構造を呈している。
【００３２】
なお、スリット及び分割部分は三箇所形成されているが、本発明では、２箇所でも３箇所を超えて形成することができる。２箇所の場合、一つの分割部分に突起を形成し、他の部分に突起を形成しない。３箇所を超える場合も一箇所以上、突起を形成しない部分とすれば良い。
【００３３】
実施形態において、後軸４は樹脂材料が射出成形されるものであるが、筒部９のスリット１０を形成するための金型のパーティングラインを図２（ｃ）に符号ＰＬで示す。金型の割り方向がＰＬに垂直になる。また、繰り出し回転方向を符号ＦＷで示す。
【００３４】
図２に示すように、該筒部９は厚みがあるが、切り欠かれたスリット１０を挟む一面部１０ａ及び他面部１０ｂが周方向に対向して形成されている。一面部１０ａは、ほぼ１２０°程度置きに筒部９（後軸４）の回転中心ＣＬから放射方向線に沿って形成されている。そして、当該一面部１０ａと共にスリット１０を挟む他面部１０ｂが当該一面部１０ａに平行になるように形成されている。したがって、一面部１０ａ及び他面部１０ｂに挟まれるスリット１０は、回転中心からの放射方向とは回転方向に少しずれて形成されているといえる。なお、一つの突起１１のエッジ１１ａから次の突起１１のエッジ１１ａまで回転方向ＦＷに沿って１２０°の間隔（符号「ＲＷ１」で示す）があるが、一つの突起１１から凸部１３まで１２２°の間隔（符号「ＲＷ２」で示す）がある。
【００３５】
また、前記筒部９における他の前記分割部分９ａのエッジのある突起１１は、スリットを挟む一面部１０ａ及び他面部１０ｂのうちの一方（一面部１０ａ）が放射方向に外側に延びて突起１１のエッジの面に連続している。
【００３６】
筒部９の外面の突起１１は、外周面から突出するが、その形成位置が前記一面部１０ａの外周面に臨む位置で外側方向に突出している。三つのスリット１０（１０Ａ、１０Ｂ、１０Ｃ）のうちの一つのスリット１０Ａでは、一面１０ａから面取り１３ａ（例えば３２°）を経由して凸部１３が立ち上がっている。他のスリット１０Ｂ、１０Ｃでは一面１０ａが切り立って突起１１の突出した部分がエッジ１１ａになる。なお、スリット１０Ａ、１０Ｂ、１０Ｃが放射方向からずれている（角度を持っている）のは、上記のパーティングラインＰＬとの関係で金型の抜き角を考慮したものである。
【００３７】
ここで、後軸４では、図２（ｄ）筒部９の突起１１の形成部分の後部は段状に縮径部１４が形成されて、この縮径部１４に図１に示した、Ｏリング３が嵌り込む。そして、縮径部の後方では周面に環状リブ１５が複数形成され、後軸４を先軸６に挿入した際に環状リブ１５が先軸６の対応する凹凸箇所に嵌合して抜け止められる。
【００３８】
〔先軸６〕
先軸６は、図３に示すように、先細い管状を呈し、後部に後軸４を嵌入させるやや太径の管状部１６が形成されている。管状部１６内には、先方向の内周面に３６０°に亘って三角歯状のエッジ部１２が複数、配列形成されている。エッジ部１２が片側に切り立ち、他側が斜面になっている。前記環状部の内周面でエッジ部１２の後方には、後軸４の環状リブが回転自在に嵌入する凸状リブ１７が先後に形成されている。
【００３９】
〔ネジ棒２〕
ネジ棒２は、図４に示すように、先方部２ｆが扁平な楕円断面形状の棒状を呈し、中央部２ｃが円形断面の棒状を呈し、後部２ｒが中央部よりも拡径した円形断面を呈して全体に概略柱状である。なお、後端部は縮径して円形断面である。
【００４０】
ネジ棒２の中央部には、雄ネジの機能を奏する突起部２ａが両側に対で形成されている。突起部２ａは図４（ｆ）〜（ｈ）に示すように、側面視で長円形であり台形状の突起部２ａが突出形成されている。この突起部２ａが後軸４の雌ネジの螺旋溝４ａに螺合して、後軸４に対して先軸６を正回転方向に回転させることによってネジ棒２が前進する。
【００４１】
ネジ棒２の先方側に、芯１を装着するピストン７が設けられる。ピストン７は図５に示すように、断面楕円の後端塞がりの管状であり、概略カップ状を呈したものである。先方から芯１が内部７ａに挿入可能であり、内部には芯１が抜けないように突起７ｂが形成されている。そして、ピストン７後端面に７ｃに、ネジ棒２の先端が単に当接するように平面の当接面になっており、当該ネジ棒２によって押圧されるとピストン７が先方に前進するが、ネジ棒２が仮に後退してもピストン７は後退しない構造になっている。また、ピストン７の開口端部の周縁には、先軸６の内周面に密着して摺動する外周シール部７ｄがフランジ状に形成されており、これによって、芯１がガタツキなく安定的に繰出せるようにしている。
【００４２】
以上説明した本実施形態の繰出容器において、先軸６内部には、後軸４先端側の筒部９には縦方向にスリット１０を形成し、筒部９の最外径部にはエッジのある突起１１を周方向で不等間隔に形成している。また、先軸６内部には、エッジ部１２を形成している（エッジ部１２の形成は周方向に等間隔又は不等間隔のいずれでもよい）。
使用者が後軸４に対して先軸６を回転させるときに、繰出し方向の逆の所定方向に回転させた場合に、前記突起１１と前記エッジ部１２とが噛み合って回転が規制される。その際に、エッジのある突起１１を周方向で不等間隔に形成しているので、突起１１とエッジ部１２との噛み合い位置が、前記筒部９の周方向で偏りが生じるものになる。
具体的には、図２において、突起１１は噛み合うが、面取り１３ａのある凸部１３は滑って噛み合わない。
【００４３】
この噛み合い箇所の偏りが後軸４の中心軸を先軸６の中心軸（図２の符号ＣＬ）から径方向にずらす力となるので、筒部９が強引に径方向に偏り、後軸４表面の突起１１が先軸６のエッジ部１２にさらに強固に引っかかるため、確実に所定回転方向（例えば逆回転方向）に回転するのを防ぐことができる。
【００４４】
また、後軸４内にネジ棒２が収容されて、後軸４に対して先軸６を正回転方向に回転（所定方向の逆方向への回転）させることによりネジ棒２が芯（棒状部材）１を押し出して先軸６先端から繰り出し可能である。その際、図２に示す突起１１と凸部１３は、図３に示すエッジ部１２上を滑るので、回転規制が無くなり、従来通りの軽い回転で芯を繰り出すことができる。また、キャップ７をネジ棒２で押し連結しない構造であるので、意図せずに、ネジ棒２が後退した際でも芯１が後退しない。
【００４５】
なお、芯１は、先軸６に対して回転が規制された断面異形のものが好適であり、楕円形断面に限定されない。
【００４６】
本発明は、前記実施形態に限定されず、本発明の範囲内で種々に変形実施できる。
【産業上の利用可能性】
【００４７】
本発明の回転繰出容器は、化粧用鉛筆（アイライン、アイブロー用等）、口紅、リップクリーム等の棒状化粧料、棒状筆記体、棒状塗布体等の棒状部材を容器から繰り出して使用する棒状化粧料容器、筆記具、塗布具等に利用することができる。
【符号の説明】
【００４８】
１  芯（棒状部材）
２  ネジ棒
２ａ  突起部
３  シール部材（Ｏリング）
４  後軸
４ａ  螺旋溝
５  尾栓
６  先軸
７  ピストン（保持部材）
９  筒部
９ａ  筒部の分割部分
１０  スリット
１０Ａ  スリット
１０Ｂ  スリット
１１  突起
１１ａ  突起のエッジ
１２  エッジ部
１３  凸部
１４  縮径部
１５  環状リブ
１６  管状部
１７  凸状リブ
ＣＬ  回転中心
ＦＷ  回転方向
【図１】
0006511325.tif 000002
【図２】
0006511325.tif 000003
【図３】
0006511325.tif 000004
【図４】
0006511325.tif 000005
【図５】
0006511325.tif 000006